(57)【要約】【課題】レンズ駆動装置において、ベース部材の開口径に対してベース部材の占有面積を可能な限り小さくし、ベース部材の形成に高い加工精度を要すること無く、可動部材の移動制限を効果的に行えるようにする。【解決手段】レンズ駆動装置は、中央部に開口を有するベース部材と、レンズ又はレンズ枠が取り付けられる可動部材と、ベース部材に対して可動部材をレンズの光軸方向に沿って移動自在に弾性支持する弾性支持部材と、レンズの光軸方向に沿った推力を可動部材に付与するアクチュエータとを備え、ベース部材は、外周縁の近傍に光軸方向に立設される壁部を備え、壁部に、可動部材の光軸周りの移動と光軸に交差する平面方向の移動を制限する当たり面を設けた。【選択図】図１
2019020507.tif 000002
【特許請求の範囲】
【請求項１】
中央部に開口を有するベース部材と、
レンズ又はレンズ枠が取り付けられる可動部材と、
前記ベース部材に対して前記可動部材をレンズの光軸方向に沿って移動自在に弾性支持する弾性支持部材と、
レンズの光軸方向に沿った推力を前記可動部材に付与するアクチュエータとを備え、
前記ベース部材は、外周縁の近傍に前記光軸方向に立設される壁部を備え、
該壁部に、前記可動部材の前記光軸周りの移動と前記光軸に交差する平面方向の移動を制限する当たり面を設けたことを特徴とするレンズ駆動装置。
【請求項２】
前記当たり面は、前記ベース部材の外周に沿って一対設けられると共に、前記壁部の内面に設けられることを特徴とする請求項１記載のレンズ駆動装置。
【請求項３】
前記壁部は、前記可動部材の前記光軸方向の過剰な動きを制限する当たり面を備えることを特徴とする請求項１記載のレンズ駆動装置。
【請求項４】
前記当たり面は、前記壁部の凹部に設けられ、前記可動部材は、前記凹部内に配置される凸部を備えることを特徴とする請求項１〜３のいずれか１項記載のレンズ駆動装置。
【請求項５】
前記ベース部材の外周縁は矩形状であり、
前記ベース部材の角部に前記弾性支持部材の外側が支持され、
前記可動部材の外周縁は八角形状であることを特徴とする請求項１〜４のいずれか１項に記載のレンズ駆動装置。
【請求項６】
前記ベース部材上に前記可動部材や前記アクチュエータを覆うカバーを設け、
前記壁部の外側面には段差を介して接着面が設けられ、
前記接着面が前記カバーの内面に接着剤を介して接着されていることを特徴とする請求項１〜５のいずれか１項に記載のレンズ駆動装置。
【請求項７】
前記ベース部材の角部上に前記アクチュエータの一部であるマグネットが配置され、
前記可動部材には、前記アクチュエータの一部となるコイルが前記光軸周りに巻回されており、
前記カバーがヨークであることを特徴とする請求項６記載のレンズ駆動装置。
【請求項８】
前記可動部材には、前記コイルの引出部が巻回される突起部が設けられ、
前記コイルの端部は、前記弾性支持部材を介して前記ベース部材の端子部に接続されることを特徴とする請求項７記載のレンズ駆動装置。
【請求項９】
前記突起部は、突起端に向けて横断面が大きくなる逆テーパ状の側面を有することを特徴とする請求項８記載のレンズ駆動装置。
【請求項１０】
請求項１〜９のいずれか１項記載のレンズ駆動装置を備えた撮像装置。
【請求項１１】
請求項１〜９のいずれか１項記載のレンズ駆動装置を備えた携帯情報端末。
【発明の詳細な説明】
【技術分野】
【０００１】
本発明は、レンズ駆動装置に関するものである。
【背景技術】
【０００２】
レンズ駆動装置は、ベース部材と、レンズ又はレンズ枠（レンズバレル）が取り付けられる可動部材（キャリア）と、ベース部材に対して可動部材をレンズの光軸方向に沿って移動自在に支持する支持部材とを備えており、アクチュエータであるコイルとマグネットの一方を可動部材に設け、他方を支持部材に設けて、板バネなどの弾性部材を介して支持部材に支持される可動部材を、アクチュエータの推力（ローレンツ力）と弾性部材の弾性力をバランスさせながら、光軸方向に沿って移動するものである（例えば、下記特許文献１参照）。
【０００３】
従来のレンズ駆動装置は、アクチュエータの無通電時に弾性部材の弾性力で可動部材がベース部材に押し付けられるようになっており、ベース部材には、可動部材の光軸方向の移動と光軸周りの移動を制限する移動制限部が設けられている。
【先行技術文献】
【特許文献】
【０００４】
【特許文献１】特開２０１５−９９２８２号公報
【発明の概要】
【発明が解決しようとする課題】
【０００５】
前述した従来のレンズ駆動装置は、ベース部材の底面に移動制限部やアクチュエータの一部を設けるための大きなスペースが必要である。このため、ベース部材の開口径に対してベース部材の占有面積が大きくなる問題があった。
【０００６】
また、ベース部材の中心に比較的近い位置に移動制限部を設けているので、可動部材の外周縁に近いところでの光軸周りの移動を制限するには、移動制限部材と可動部材とのクリアランスを極力小さくする必要があり、ベース部材の形成に高い加工精度を要することが問題になっていた。
【０００７】
また、前述した従来のレンズ駆動装置は、ベース部材上に可動部材やアクチュエータを配備した後、可動部材やアクチュエータをカバーで覆い、カバーの下端縁をベース部材の外周縁に接着固定することがなされていた。この際に、接着剤が毛細管現象で内部に侵入することがあり、可動部材などに付着して、動作不良を起こすことが懸念されていた。
【０００８】
特に、ベース部材の開口径に対してベース部材の占有面積を可能な限り小さくしたいという要求に応えようとすると、必然的に接着剤が注入されるベース部材の外周縁と可動部材などの内部部品との間に十分な距離を確保することができなくなるので、接着剤が内部部品に干渉するリスクが高くなる問題があった。
【０００９】
本発明は、このような問題に対処することを課題としている。すなわち、レンズ駆動装置において、ベース部材の開口径に対してベース部材の占有面積を可能な限り小さくすること、ベース部材の形成に高い加工精度を要すること無く、可動部材の移動制限を効果的に行えるようにすること、ベース部材にカバーを接着する際に接着剤の内部干渉を抑止すること、などが本発明の課題である。
【課題を解決するための手段】
【００１０】
このような課題を解決するために、本発明は、以下の構成を具備するものである。
中央部に開口を有するベース部材と、レンズ又はレンズ枠が取り付けられる可動部材と、前記ベース部材に対して前記可動部材をレンズの光軸方向に沿って移動自在に弾性支持する弾性支持部材と、レンズの光軸方向に沿った推力を前記可動部材に付与するアクチュエータとを備え、前記ベース部材は、外周縁の近傍に前記光軸方向に立設される壁部を備え、該壁部に、前記可動部材の前記光軸周りの移動と前記光軸に交差する平面方向の移動を制限する当たり面を設けたことを特徴とするレンズ駆動装置。
【図面の簡単な説明】
【００１１】
【図１】本発明の実施形態に係るレンズ駆動装置の分解斜視図である。
【図２】（ａ）がベース部材の斜視図であり、（ｂ）がベース部材の側面図である。
【図３】（ａ）が可動部材の底面図であり、（ｂ）が（ａ）のＸ１−Ｘ１断面図である。
【図４】（ａ）が可動部材の側面図であり、（ｂ）が（ａ）のＡ部拡大図である。
【図５】ベース部材と可動部材と弾性支持部材（下板バネ）とカバーとの関係を示した説明図である。
【図６】ベース部材と可動部材と弾性支持部材（上板バネ）との配置関係を示した説明図である。
【図７】（ａ）がレンズ駆動装置の全体構成を示した縦断面図であり、（ｂ）がＢ部拡大図である。
【図８】（ａ）がレンズ駆動装置を備える撮像装置、（ｂ）がレンズ駆動装置を備えた携帯電子機器（携帯情報端末）を示す説明図である。
【発明を実施するための形態】
【００１２】
以下、図面を参照して本発明の実施形態を説明する。以下の説明で、異なる図における同一符号は同一機能の部位を示しており、各図における重複説明は適宜省略する。
【００１３】
図１に示すように、レンズ駆動装置１は、中央部に開口２Ａを有するベース部材２と、中央の開口３Ａにレンズ又はレンズ枠が取り付けられる可動部材３と、ベース部材２に対して可動部材３を弾性支持する弾性支持部材（板バネ）４と、可動部材３に推力を付与するアクチュエータ（コイル６とマグネット７）５と、可動部材３や弾性支持部材４を覆うカバー（ヨーク）８を備えている。
【００１４】
ベース部材２は、矩形状の外周縁２Ｂを有しており、外周縁２Ｂに沿ってカバー８の下端８Ｂを支持するカバー支持部２Ｃが設けられ、外周縁２Ｂの近傍であってカバー支持部２Ｃの内側に壁部２Ｄを備えている。壁部２Ｄは、可動部材３に取り付けられるレンズの光軸Ｏ方向に沿って立設されている。また、ベース部材２は、矩形状の外周縁２Ｂの角部に平面視三角形状の支持部２Ｅが設けられている。
【００１５】
可動部材３は、開口３Ａの内面にレンズ又はレンズ枠をネジ止めするネジ部が設けられており、側面には、アクチュエータ５の一部であるコイル６をレンズの光軸Ｏ周りに巻回すためのコイル保持部３Ｂが設けられている。また、コイル保持部３Ｂの上下には、弾性支持部材４の内側支持部４Ａが支持されるバネ支持部３Ｃが設けられている。図示の例では、可動部材３は、ベース部材２の角部に設けられる平面視三角形状の支持部２Ｅの内側に配置されるように八角形状の外周縁を有している。
【００１６】
弾性支持部材４は、可動部材３をレンズの光軸Ｏ方向に沿って移動自在に弾性支持するものであり、一つの上弾性支持部材（上板バネ）４０と、４つに分割された下弾性支持部材（下板バネ）４１とからなる。上弾性支持部材４０は、可動部材３のバネ支持部３Ｃに固定される内側支持部４０Ａが２箇所設けられ、ベース部材２の角部に設けられる支持部２Ｅ上の空間に支持される外側支持部４０Ｂが４箇所設けられており、内側支持部４０Ａと外側支持部４０Ｂを繋ぐ弾性変形部４０Ｃが４箇所に設けられている。また、４つの下弾性支持部材４１は、それぞれが、可動部材３のバネ支持部３Ｃに固定される内側支持部４１Ａと、ベース部材２の角部に設けられる支持部２Ｅに固定される外側支持部４１Ｂと、内側支持部４１Ａと外側支持部４１Ｂを繋ぐ弾性変形部４１Ｃとを備えている。
【００１７】
アクチュエータ５は、前述したコイル６と、ベース部材２の角部に設けた支持部２Ｅ上の空間に配置されるマグネット７とによって構成されている。マグネット７は、カバー８の四隅から光軸Ｏに向かった方向に着磁されており、光軸Ｏ周りに巻回されたコイル６に直交する方向に磁力線が向く磁界を形成している。これよって、コイル６への通電でコイル６を保持する可動部材３に光軸Ｏ方向の推力（ローレンツ力）が付与される。
【００１８】
ベース部材２の角部に設けられる支持部２Ｅ上の空間に配置されるマグネット７は、カバー８の内面に固定されており、マグネット７の上面に上弾性支持部材４０の外側支持部４１Ｂが固定されている。カバー８は、中央に開口８Ａを有しており、磁性体によって形成されることで、マグネット７が磁気吸着されるヨークとして機能している。
【００１９】
図２〜図４を参照してベース部材２と可動部材３を更に詳細に説明する。ベース部材２の壁部２Ｄには、可動部材３の光軸Ｏ周りの移動と光軸Ｏに交差する平面方向の移動を制限する当たり面１０（１０Ａ〜１０Ｈ）が設けられている。また、ベース部材２には、光軸Ｏと垂直な平面として、可動部材３の光軸Ｏ方向の過剰な移動を制限する当たり面１１が設けられている。
【００２０】
ベース部材２の壁部２Ｄに設けられる当たり面１０（１０Ａ〜１０Ｈ）には、可動部材３の下面に設けられる当たり部１２の各当たり面１２Ａ〜１２Ｈが当接することで、可動部材３の光軸Ｏ周りの移動と光軸Ｏに交差する平面方向の移動が制限される。
【００２１】
可動部材３に設けられる当たり部１２は、可動部材３の下面から下方に向けて突出するように設けられると共に、光軸Ｏと交差する方向で外向きに突出する凸部１２Ｐを備えている。これに対して、ベース部材２の壁部２Ｄには、凹部２Ｄ１が開口２Ａを挟んで対向する位置に２箇所設けられており、この凹部２Ｄ１内のそれぞれに当たり部１２の凸部１２Ｐが配置されている。
【００２２】
そして、ベース部材２側の当たり面１０は、壁部２Ｄに設けた凹部２Ｄ１において、当たり面１０Ａ，１０Ｂ（１０Ｅ，１０Ｆ）がベース部材２の外周に沿って一対設けられており、当たり面１０Ｃ，１０Ｄ（１０Ｇ，１０Ｈ）が壁部２Ｄの内面に設けられている。ここで、当たり面１０Ａと当たり面１０Ｂ、当たり面１０Ｅと当たり面１０Ｆ、当たり面１０Ｃと当たり面１０Ｇ、当たり面１０Ｄと当たり面１０Ｈは、それぞれ対面する平行な面である。
【００２３】
そして、ベース部材２側の当たり面１０Ａに対しては、可動部材３側の当たり面１２Ａが対面し、ベース部材２側の当たり面１０Ｂに対しては、可動部材３側の当たり面１２Ｂが対面している。同様に、ベース部材２側の当たり面１０Ｅに対しては、可動部材３側の当たり面１２Ｅが対面し、ベース部材２側の当たり面１０Ｆに対しては、可動部材３側の当たり面１２Ｆが対面している。このようなベース部材２側の当たり面１０Ａ，１０Ｂ及び当たり面１０Ｅ，１０Ｆは、可動部材３における図示（図３参照）Ｙ方向及び光軸Ｏ周りの移動を制限している。
【００２４】
また、ベース部材２側の当たり面１０Ｃに対しては、可動部材３側の当たり面１２Ｃが対面し、ベース部材２側の当たり面１０Ｄに対しては、可動部材３側の当たり面１２Ｄが対面している。同様に、ベース部材２側の当たり面１０Ｇに対しては、可動部材３側の当たり面１２Ｇが対面し、ベース部材２側の当たり面１０Ｈに対しては、可動部材３側の当たり面１２Ｈが対面している。このようなベース部材２側の当たり面１０Ｃ，１０Ｄ及び当たり面１０Ｇ，１０Ｈは、可動部材３における図示（図３参照）Ｘ方向の移動を制限している。
【００２５】
また、ベース部材２の当たり面１１に対しては、可動部材３の当たり部１２の底面に設けられる当たり面１２Ｊが対面しており、これによって、可動部材３が光軸Ｏ方向に過剰に移動するのを阻止している。たとえば、上記した光軸方向への過剰な移動とは、各弾性支持部材の弾性変形部が破損するような移動のことである。
【００２６】
このように、本実施形態では、ベース部材２と可動部材３とにそれぞれ当たり面を設けることで、光軸に垂直方向の移動と、光軸周りの移動と、光軸方向の移動とをそれぞれ適切に制限することができる。
【００２７】
また、ベース部材２には、コイル６に入力される駆動電流の入力端子１３が底面から突出しており、ベース部材２の内部に入力端子１３に導通する導電線（図示省略）が配置され、その導電線に導通する接続端子１４がベース部材２における支持部２Ｅの表面に設けられている。また、ベース部材２には、後述する可動部材３の突起部３Ｆを逃がすための溝部２Ｇが設けられている。
【００２８】
可動部材３には、図３及び図４に示すように、下方に向けて突起部３Ｆが突起しており、この突起部３Ｆにコイル６の引出部６Ａが巻回されている。突起部３Ｆは、突起端（下端）に向けて横断面が大きくなる逆テーパ状の側面３ｍを有している。このような逆テーパ状の側面３ｍを有する突起部３Ｆにコイル６の引出部６Ａを巻き付けると、巻線が解れたり、突起部３Ｆから引出部６Ａが抜け外れたりする不具合が生じ難くなる。
【００２９】
コイル６の端部は下弾性支持部材４１に接続され、導電性を有する下弾性支持部材４１を介して、ベース部材２の接続端子１４に接続される。コイル６の端部は、下弾性支持部材４１の内側支持部４１Ａに半田付けされるが、その際の作業性を向上するために、コイル６の引出部６Ａが突起部３Ｆに巻き付けられる。突起部３Ｆを逆テーパ状にすることで、引出部６Ａの解れや抜け外れが抑止できるので、コイル６の端子を接続する際の作業性が更に向上する。
【００３０】
図５に示すように、下弾性支持部材４１は、４分割されており、それぞれが、内側支持部４１Ａと、三角形状の外側支持部４１Ｂと、弾性変形部４１Ｃを備えている。そして、その中の２つの下弾性支持部材４１Ｘ，４１Ｙが、コイル６への通電経路を形成している。下弾性支持部材４１Ｘ，４１Ｙは、内側支持部４１Ａが、可動部材３における突起部３Ｆ近傍のバネ支持部３Ｃに接着固定されており、突起部３Ｆに巻かれたコイル６の引出部６Ａの端部がこの内側支持部４１Ａに半田等で接続される。また、下弾性支持部材４１Ｘ，４１Ｙの外側支持部４１Ｂは、ベース部材２の支持部２Ｅに接着固定され、支持部２Ｅに設けられる接続端子１４と外側支持部４１Ｂとが半田等で接続される。
【００３１】
図６に示すように、上弾性支持部材４０は、ベース部材２の外周縁形状に対応する矩形状の外縁形状を有しており、四隅に三角形状の外側支持部４０Ｂが設けられている。上側弾性支持部材４０の外側支持部４０Ｂは、ベース部材２の支持部２Ｅ上の空間に配置されてカバー８の内面に固定されるマグネット７の上面に接着固定される。上弾性支持部材４０の内側支持部４０Ａは、可動部材３の上面に設けられるバネ支持部３Ｃに接着固定される。上弾性支持部材４０の内側支持部４０Ａは、切り欠き状に接着剤注入口４２を有している。内側支持部４０Ａは、可動部材３のバネ支持部３Ｃ上に置かれた後で、接着剤注入口４２に接着剤が注入される。これによって、内側支持部４０Ａの下面とバネ支持部３Ｃの上面との間に毛細管現象で接着剤が充填される。
【００３２】
このようなレンズ駆動装置１の組み立て手順を説明する。先ず、カバー８の天面内側に、上弾性支持部材４０の外側支持部４０Ｂを接着剤で固定する。次に、マグネット７の上面と側面に接着剤を塗布して、マグネット７の上面を、カバー８の天面内側に固定した上弾性支持部材４０の外側支持部４０Ｂに固定し、マグネット７の側面をカバー８の内側面に固定する。マグネット７は、カバー８の角部に対応する側面を有しており、また、カバー８がヨークとして機能する磁性体であるため、マグネット７はカバー８の内面に磁気吸着され、マグネット７とカバー８との固定は比較的簡易に行うことができる。
【００３３】
一方、ベース部材２に対しては、支持部２Ｅに下弾性支持部材４１の外側支持部４１Ｂが接着剤で固定される。そして、コイル６がコイル保持部３Ｂに巻かれており、コイル６の引出部６Ａが突起部３Ｆに巻かれている可動部材３の下側のバネ支持部３Ｃに、下弾性支持部材４１の内側支持部４１Ａが接着剤で固定される。その後、コイル６の端部は、下弾性支持部材４１の内側支持部４１Ａに半田接続され、下弾性支持部材４１の外側支持部４１Ｂは、ベース部材２の支持部２Ｅに設けられる接続端子１４に半田接続される。
【００３４】
その後は、内側に上弾性支持部材４０とマグネット７が固定されたカバー８と、壁部２Ｄの内側に下弾性支持部材４１と可動部材３が固定されたベース部材２とを合体させる。この際に、可動部材３の上側のバネ支持部３Ｃに接着剤を塗布することで、このバネ支持部３Ｃと上弾性支持部材４０の内側支持部４１Ａが固定される。そして最後に、カバー８の下端８Ｂをベース部材２のカバー支持部２Ｃ上に載せて、カバー８の接着剤注入口８Ｃから接着剤を注入することで、ベース部材２の壁部２Ｃの外側面とカバー８の内側面とを接着剤で固定する。
【００３５】
この際に、図２及び図７に示すように、ベース部材２の壁部２Ｄの外側面には段差２ｔを介して接着面２Ｈが設けられており、この接着面２Ｈがカバー８の内面に接着剤を介して接着される。カバー８の接着剤注入口８Ｃから注入される接着剤は、接着面２Ｈとカバー８の内面との間の隙間に進入して、毛細管現象で接着面２Ｈの全面に拡がることになるが、接着面２Ｈは、段差２ｔを介して壁部２Ｄの外側面に形成されているので、段差２ｔを超えて接着剤が拡がることがない。これによって、接着剤が接着面２Ｈ以外のところに進入して、内部部品に干渉するのを抑止することができる。
【００３６】
接着面２Ｈを区画する段差２ｔは、図２に示すように、壁部２Ｄの凹部２Ｄ１から離間した位置に形成されている。このため、可動部材３の当たり部１２の凸部１２Ｐが内側に配置される凹部２Ｄ１には接着剤が進入することがない。これによって、接着剤の干渉で可動部材３が動作不良を起こすことを防いでいる。
【００３７】
前述した説明において、上弾性支持部材４０の内側支持部４０Ａや下弾性支持部材４１の内側支持部４１Ａが固定される可動部材３のバネ支持部３Ｃ、或いは、下弾性支持部材４１の外側支持部４１Ｂが固定されるベース部材２の支持部２Ｅは、接着剤が塗布される平坦な面になっており、位置決め用の凸部や段部が形成されていない構成になっている。このような構成にすることで、位置決め部位の位置誤差によって組み付け位置がずれてしまうことを防ぐことができると共に、凸部や段部を設けるスペースを省くことができる。組み付け時には、画像認識（オプティカルアライメント）を用いて、位置補正しながら組み付けることで、精度の高い組み付けが可能になる。
【００３８】
このようなレンズ駆動装置１によると、ベース部材２は、外周縁２Ｂ近傍に光軸Ｏ方向に立設される壁部２Ｄを備え、この壁部２Ｄに、可動部材３の光軸Ｏ周りの移動と光軸Ｏに交差する平面方向の移動を制限する当たり面１０（１０Ａ〜１０Ｈ）が設けられているので、開口２Ａの口径に対して、ベース部材２の占有面積を可能な限り小さくした場合であっても、スペース効率良くメカストッパーとなる当たり面１０（１０Ａ〜１０Ｈ）を設けることができる。
【００３９】
そして、ベース部材２と可動部材３の２部品で移動制限のメカストッパーを構成しているので、ベース部材２に固定されるカバー８の内面に可動部材３を当てるような３部品の調整が必要な構成に比べると、部品間の寸法のばらつきの影響が少なくなり、当たり面間のクリアランスを小さくしたがたつきの少ないレンズ駆動装置１を得ることができる。さらに、メカストッパーとなる当たり面をベース部材２の外周縁２Ｂ近傍に設けているので、特に光軸Ｏ周りの可動部材３の移動を効率的に制限することができる。このようなレンズ駆動装置１は、落下時の衝撃が抑えられ、弾性支持部材（板バネ）４の損傷や部品間の衝突に伴う塵発生を抑止することができ、動作信頼性が高く、耐衝撃性の高いレンズ駆動装置１を得ることができる。
【００４０】
図８は、（ａ）において、前述したレンズ駆動装置１を備えた撮像装置（カメラ）１００を示し、（ｂ）において、レンズ駆動装置１を具備するカメラユニットを備えた携帯電子機器（携帯情報端末）２００を示している。
【００４１】
前述したレンズ駆動装置１は、ベース部材２の占有面積を小さくすることで、撮像装置（カメラ）１００や携帯電子機器（携帯情報端末）２００内での設置スペースを省スペース化することができる。これによって、撮像装置（カメラ）１００や携帯電子機器（携帯情報端末）２００の小型化・薄型化が可能になると共に、他の機能部品の設置占有面積を広げることで、機器の高機能化が可能になる。
【００４２】
また、前述したレンズ駆動装置１は、高い耐衝撃性や耐久性を有しているので、モバイル性能を高めた撮像装置（カメラ）１００や携帯電子機器（携帯情報端末）２００の使用時に、適正なレンズ駆動性能を発揮することができる。更には、前述したレンズ駆動装置１は、高い動作信頼性を有し、製造歩留まりを高めることができるので、撮像装置（カメラ）１００や携帯電子機器（携帯情報端末）２００の高機能且つ低コスト化に対応することができる。
【００４３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４４】
１：レンズ駆動装置，
２：ベース部材，２Ａ：開口，２Ｂ：外周縁，２Ｃ：カバー支持部，
２Ｄ：壁部，２Ｄ１：凹部，２Ｅ：支持部，２Ｇ：溝部，２Ｈ：接着面，２ｔ：段差，
３：可動部材，３Ａ：開口，３Ｂ：コイル保持部，３Ｃ：バネ支持部，
３Ｆ：突起部，３ｍ：側面，
４：弾性支持部材（板バネ），４Ａ，４０Ａ，４１Ａ：内側支持部，
４Ｂ，４０Ｂ，４１Ｂ：外側支持部，４Ｃ，４０Ｃ，４１Ｃ：弾性変形部，
４０：上弾性支持部材（上板バネ），
４１，４１Ｘ，４１Ｙ：下弾性支持部材（下板バネ），４２：接着剤注入口，
５：アクチュエータ，６：コイル，６Ａ：引出部，７：マグネット，
８：カバー（ヨーク），８Ａ：開口，８Ｂ：下端，８Ｃ：接着剤注入口，
１０（１０Ａ〜１０Ｈ），１１：当たり面，
１２：当たり部，１２Ａ〜１２Ｈ，１２Ｊ：当たり面，１２Ｐ：凸部，
１３：入力端子，１４：接続端子，
１００：撮像装置（カメラ），２００：携帯電子機器（携帯情報端末），
Ｏ：光軸
【図１】
2019020507.tif 000003
【図２】
2019020507.tif 000004
【図３】
2019020507.tif 000005
【図４】
2019020507.tif 000006
【図５】
2019020507.tif 000007
【図６】
2019020507.tif 000008
【図７】
2019020507.tif 000009
【図８】
2019020507.tif 000010